(57)【要約】  上蓋（１）の開閉に対する安全制御構造は、回転軸（３）を介してパネル台（２）とヒンジ連結される上蓋（１）と、回転軸（３）に設置されるトグル部（４）と、パネル台（２）下方に取り付けられ、トグル部（４）の動作により制御される安全スイッチ（５）とを含む。前記上蓋（１）および安全スイッチ（５）は、いずれも回転軸（３）の同一側に設置される。前記安全スイッチ（５）はリーフスイッチ（５）であり、可動片（５１）および固定片（５２）を含み、可動片（５１）は固定片（５２）の上方に設置され、トグル部（４）は可動片（５１）の上方に位置する。前記トグル部（４）はコネクタ（４１）およびトグル部材（４２）を含み、このうち、コネクタ（４１）は回転軸（３）と一体に回転接続され、トグル部材（４２）の一端はコネクタ（４１）とつながり、もう一端は可動片（５１）の動作を制御して固定片（５２）と接続／切断させる可動端（４３）である。本発明の構造は簡単で、コストは低く、上蓋（１）の開閉に対する制御を効果的に実現すると同時に、タクタイルスイッチの取付位置により空間を占用する問題と、上蓋（１）がパネル台（２）後部を覆うことができないことにより防塵効果が劣る問題とを解決した。【選択図】図１
2019511317.tif 000002
【特許請求の範囲】
【請求項１】
回転軸を介してパネル台とヒンジ連結される上蓋と、回転軸に設置されるトグル部と、パネル台下方に取り付けられ、トグル部の動作により制御される安全スイッチとを含む上蓋の開閉に対する安全制御構造であって、前記上蓋および安全スイッチはいずれも回転軸の同一側に設置されることを特徴とする構造。
【請求項２】
前記安全スイッチはリーフスイッチであり、可動片および固定片を含み、可動片は固定片の上方に設置され、トグル部は可動片の上方に位置することを特徴とする、請求項１に記載の上蓋の開閉に対する安全制御構造。
【請求項３】
前記トグル部はコネクタおよびトグル部材を含み、このうち、コネクタは回転軸と一体に回転接続され、トグル部材の一端はコネクタとつながり、もう一端は可動片の動作を制御して固定片と接続／切断させる可動端であることを特徴とする、請求項２に記載の上蓋の開閉に対する安全制御構造。
【請求項４】
前記コネクタが回転軸の外周に外嵌され、コネクタは回転軸とキー接続されるか；または前記トグル部および回転軸は一体構造であることを特徴とする、請求項３に記載の上蓋の開閉に対する安全制御構造。
【請求項５】
前記コネクタが回転軸の一端に設けられ、回転軸のもう一端は上蓋およびパネル台のヒンジ連結部に挿設され、コネクタおよび回転軸の接続部は円柱形であり、パネル台のヒンジ連結部に対応して挿入され、パネル台のヒンジ連結部との間は自由に回転することを特徴とする、請求項４に記載の上蓋の開閉に対する安全制御構造。
【請求項６】
前記可動片の一端が回転軸の下方に延伸し、該端にトグル部材の可動端と接触接続される支持部材が設けられることを特徴とする、請求項３に記載の上蓋の開閉に対する安全制御構造。
【請求項７】
前記トグル部材に、可動端が支持部材前方および支持部材上方の間で滑らかに移動するように誘導する誘導面が設けられ、誘導面は傾斜面であり、トグル部材の可動端および上蓋が位置する方向と相反する一側に設けられることを特徴とする、請求項６に記載の上蓋の開閉に対する安全制御構造。
【請求項８】
前記パネル台後端にヒンジ受けが設けられ、上蓋にヒンジ体が対応して設けられ、ヒンジ受けおよびヒンジ体は回転軸を介して接続され、回転軸および上蓋のヒンジ体は一体に回転することを特徴とする、請求項１〜７のいずれか１項に記載の上蓋の開閉に対する安全制御構造。
【請求項９】
トグル部が回転軸の軸方向で移動するのを阻止する遮断機構をさらに含むことを特徴とする、請求項８に記載の上蓋の開閉に対する安全制御構造。
【請求項１０】
前記遮断機構がトグル部の両側に位置する第１遮断部材および第２遮断部材を含み、パネル台のヒンジ受けは第１遮断部材を構成し、第２遮断部材はパネル台に固定して取り付けられることを特徴とする、請求項９に記載の上蓋の開閉に対する安全制御構造。
【請求項１１】
前記トグル部における第２遮断部材に対応する一側に、回転軸の軸方向に沿って定位円孔が設けられ、第２遮断部材に定位円孔と符合する定位円柱が設けられ、定位円柱は定位円孔内に挿設されることを特徴とする、請求項１０に記載の上蓋の開閉に対する安全制御構造。
【請求項１２】
前記上蓋は少なくとも２組の回転軸を介してパネル台とヒンジ連結され、このうちの１つの回転軸にトグル部が取り付けられ、もう１つの回転軸に上蓋を閉じる衝撃力を緩衝するダンピング機構が設けられることを特徴とする、請求項１〜１１のいずれか１項に記載の上蓋の開閉に対する安全制御構造。
【請求項１３】
前記トグル部の動作により安全スイッチを制御する過程は、上蓋を開く角度αに対応し、αは５°〜３０°であることを特徴とする、請求項１〜１２のいずれか１項に記載の上蓋の開閉に対する安全制御構造。
【発明の詳細な説明】
【技術分野】
【０００１】
本発明は洗濯機のドアスイッチに関し、特に上蓋および安全スイッチが回転軸の同一側に設置され、これにより空間を節約した上蓋の開閉に対する安全制御構造である。
【背景技術】
【０００２】
現在、洗濯機の設計は、ますます自動化および人に優しい傾向がある。このうち洗濯機のドアの開閉により洗濯機を稼働または停止させる設計が次第に普及しており、この種の設計は生じる可能性がある水しぶきの飛散、ドラムからの衣類の放出などの危険を防止している。しかし、現在の該構造に関する設計は、いずれもドアのタクタイルスイッチを洗濯機のパネル台後部の空間内に位置させ、上蓋およびタクタイルスイッチが回転軸の前後両側に設置されるように設計する。上蓋後部が突出した設計構造により、マイクロスイッチの接点の接触および非接触を制御し、これにより洗濯機の蓋の開成による電源の切断および蓋の閉成による通電を制御する。この種の設計は洗濯機の体積の膨張および空間の占用を引き起こし、さらにパネル台の材料コストを増加させる。
【０００３】
例えば、出願番号が２００７１０１４０４３４．１号の中国特許は洗濯機のドアスイッチを開示している。該洗濯機における蓋を開くと電源が切断されるヒンジ制御装置は、ヒンジにより洗濯機の上パネルに固定される上蓋と、ヒンジの可動片に設けられた第１ボスと、第１ボスに制御されるマイクロスイッチとを含み、このうち、第１ボスは回転軸および単方向制動装置を介してヒンジの可動片に枢設される。該構造の設計により、パネル台後部は上蓋に対して一部の構造が露出し、これにより該部分は上蓋に覆われず、洗濯機の上方全体の美観に影響を及ぼし、さらに防塵効果は劣る。
【０００４】
このことを考慮して、特に本発明を示す。
【先行技術文献】
【特許文献】
【０００５】
【特許文献１】中国特許出願番号第２００７１０１４０４３４．１号明細書
【発明の概要】
【発明が解決しようとする課題】
【０００６】
本発明が解決しようとする技術的問題は、既存技術の不足を克服することにあり、上蓋および安全スイッチを回転軸の同一側に設置した上蓋の開閉に対する安全制御機構を提供する。該設計は、上蓋の開閉に対する制御を効果的に実現すると同時に、タクタイルスイッチの取付位置により空間を占用する問題と、上蓋がパネル台後部を覆うことができないことにより防塵効果が劣る問題とを解決した。
【課題を解決するための手段】
【０００７】
上記技術的問題を解決するため、本発明が採用する技術案の基本的構想は次の通りである。上蓋の開閉に対する安全制御構造は、回転軸を介してパネル台とヒンジ連結される上蓋と、回転軸に設置されるトグル部と、パネル台下方に取り付けられ、トグル部の動作により制御される安全スイッチとを含む。前記上蓋および安全スイッチは、いずれも回転軸の同一側に設置される。
【０００８】
さらに、前記安全スイッチはリーフスイッチであり、可動片および固定片を含む。可動片は固定片の上方に設置され、トグル部は可動片の上方に位置する。
【０００９】
さらに、前記トグル部はコネクタおよびトグル部材を含む。このうち、コネクタは回転軸と一体に回転接続され、トグル部材の一端はコネクタとつながり、もう一端は可動片の動作を制御して固定片と接続／切断させる可動端である。
【００１０】
さらに、前記コネクタは回転軸の外周に外嵌され、コネクタは回転軸とキー接続される。または、前記トグル部および回転軸は一体構造である。
【００１１】
さらに、前記コネクタは回転軸の一端に設けられ、回転軸のもう一端は上蓋およびパネル台のヒンジ連結部に挿設される。コネクタおよび回転軸の接続部は円柱形であり、パネル台のヒンジ連結部に対応して挿入され、パネル台のヒンジ連結部との間は自由に回転する。
【００１２】
さらに、前記可動片の一端は回転軸の下方に延伸し、該端にトグル部材の可動端と接触接続される支持部材が設けられる。該支持部材は可動端による下への圧力を受け、圧力を受けて生じる変化に伴って、これとつながる可動片の動作を制御し、下に向けて固定片と接触接続させる。
【００１３】
さらに、前記トグル部材に、可動端が支持部材前方および支持部材上方の間で滑らかに移動するように誘導する誘導面が設けられる。誘導面は傾斜面であり、トグル部材の可動端および上蓋が位置する方向と相反する一側に設けられる。
【００１４】
さらに、前記パネル台後端にヒンジ受けが設けられ、上蓋にヒンジ体が対応して設けられる。ヒンジ受けおよびヒンジ体は回転軸を介して接続され、回転軸および上蓋のヒンジ体は一体に回転する。ヒンジ体は上蓋後部の下表面に設けられ、上蓋を閉じると、パネル台後部の上表面をより多く覆う。ヒンジ体およびヒンジ受けのいずれにも回転軸を挿入させる軸孔が設けられ、回転軸および上蓋のヒンジ体は一体に回転するため、回転軸は好ましくは多角形である。ヒンジ体の軸孔の形状は回転軸の形状に符合し、ヒンジ受けの軸孔は回転軸の回転に適合する円形である。
【００１５】
さらに、前記上蓋の開閉に対する安全制御構造は、トグル部が回転軸の軸方向で移動するのを阻止する遮断機構をさらに含む。
【００１６】
さらに、前記遮断機構はトグル部の両側に位置する第１遮断部材および第２遮断部材を含み、パネル台のヒンジ受けは第１遮断部材を構成し、第２遮断部材はパネル台に固定して取り付けられる。
【００１７】
さらに、前記トグル部における第２遮断部材に対応する一側に、回転軸の軸方向に沿って定位円孔が設けられ、第２遮断部材に定位円孔と符合する定位円柱が設けられ、定位円柱は定位円孔内に挿設される。
【００１８】
さらに、前記上蓋は少なくとも２組の回転軸を介してパネル台とヒンジ連結され、このうちの１つの回転軸にトグル部が取り付けられ、もう１つの回転軸に上蓋を閉じる衝撃力を緩衝するダンピング機構が設けられる。
【００１９】
さらに、前記トグル部の動作による安全スイッチの制御過程は、上蓋を開く角度αに対応し、上蓋を開く角度αは５°〜３０°である。すなわち、上蓋を閉成状態からα角度開くとき、電源を切断する効果を開始する。好ましくは、トグル部の動作による安全スイッチの制御の設定過程において、対応するαが６．５°のとき最も好ましい。
【００２０】
洗濯機の上蓋を閉じるとき、トグル部材の可動端は可動片の支持部材を押さえ、このとき可動片は下に押えられて固定片と接続し、リーフスイッチの接点は閉じられ、洗濯機は通電して稼働することができる。洗濯機の上蓋を開くとき、上蓋は回転軸、トグル部を共に回転させ、トグル部材の可動端は支持部材上方で斜め上に移動し、可動片が離脱し始め、支持部材を下に押える圧縮量が次第に減少する。上蓋をある角度α開くと、トグル部材は可動片から離脱し、可動片は元の位置に戻り、固定片と切断される。このとき洗濯機の電源が切断されて稼働が停止し、高速回転の内槽がユーザを損傷する可能性があるのを防止する。
【発明の効果】
【００２１】
上記技術案を採用すると、本発明は既存技術と比較して、以下の有益な効果を有する。
【００２２】
本発明は、上蓋および安全スイッチが回転軸の同一側に設置され、つまりいずれも回転軸の前側に設置され、安全スイッチが洗濯機のパネル台の後部空間を占用するのを効果的に防止し、さらにはパネル台の材料コストを低下させた。上蓋はパネル台の後部を効果的に覆い、洗濯機の外観はより美しく、上蓋の防塵防水効果はより良好である。リーフスイッチの可動片は固定片の上方に設置され、トグル部は可動片の上方に取り付けられ、これにより取付構造はよりコンパクトで、動作はより安定する。誘導面は傾斜面であり、トグル部材の可動端および上蓋が位置する方向と相反する一側に設けられ、摺動制御効果をより敏感で、効果的にする。パネル台に、トグル部が回転軸の軸方向で移動するのを防止する遮断機構が取り付けられ、トグル部の定位を実現し、安全スイッチの安定した動作および正確な判断を実現した。可動片の端部に支持部材が設置され、トグル部材のリーフスイッチに対する制御をより便利にすることができ、トグル部材の可動端の可動片に対する制御面積を増大させ、これにより安全スイッチの制御はより正確である。
【００２３】
以下、図を組み合わせて、本発明を実施するための形態について、さらに詳細に記載する。
【００２４】
図は本発明の一部分であり、本発明をさらに理解するために用いられる。本発明の例示的な実施例およびその説明は本発明を解釈するためのものであり、本発明を不適切に限定しない。以下の記載における図はいくつかの実施例に過ぎず、当業者が創造的労働を行わない前提で、これらの図に基づいて、その他の図を得ることもできることは明らかである。
【図面の簡単な説明】
【００２５】
【図１】図１は、本発明の上蓋を開いた構造概要図である。
【図２】図２は、図１におけるＡ部分を拡大した構造概要図である。
【図３】図３は、本発明の上蓋を閉じた構造概要図である。
【図４】図４は、図３におけるＢ部分を拡大した構造概要図である。
【図５】図５は、本発明の上蓋およびパネル台を組み立てた構造概要図である。
【図６】図６は、図５におけるＣ部分を拡大した構造概要図である。
【図７】図７は、本発明のパネル台下部の構造概要図である。
【００２６】
説明する必要があることとして、これらの図および記載は、どのような方式でも本発明の構想の範囲を制限することを目的とせず、特定の実施例を参考にすることにより、当業者に本発明の概念を説明する。
【発明を実施するための形態】
【００２７】
本発明の実施例の目的、技術案および利点をより明確にするため、以下、本発明の実施例の図を組み合わせて、実施例中の技術案を明確、完全に記載する。以下の実施例は本発明を説明するものであるが、本発明の範囲を制限するものではない。
【００２８】
本発明の記載において、「上」、「下」、「前」、「後」、「側」などの用語が指示する方位または位置関係は、製品およびユーザ間の関係が示す方位または位置関係に基づくことを説明する必要がある。本発明の記載および記載の簡略化を便利にするために過ぎず、指示または暗に指示する装置または素子が特定の方位、特定の方位での構造および操作を有さなければならないわけではないため、本発明に対する制限と理解することはできない。
【００２９】
本発明の記載において、他に明確に規定および限定していなければ、「取り付ける」、「つながる」、「接続する」の用語は広義に理解するべきであることを説明する必要がある。例えば、固定接続でも、取外し可能に接続、または一体に接続でもよく；機械的に接続でも、電気的に接続でもよく；直接つながるでも、間に介して間接的につながるでもよい。当業者は、具体的な状況により、本発明における上記用語の具体的な内容を理解することができる。
【００３０】
図１から図７に示すように、本発明に記載する上蓋の開閉に対する安全制御構造は、回転軸３を介してパネル台２とヒンジ連結される上蓋１と、回転軸３に設置されるトグル部４と、パネル台２下方に取り付けられ、トグル部４の動作により制御される安全スイッチ５とを含む。前記上蓋１および安全スイッチ５は、いずれも回転軸３の同一側、すなわち回転軸３の前側に設置される。
【実施例】
【００３１】
実施例１
図２および図４に示すように、本発明に記載する安全スイッチはリーフスイッチ５であり、可動片５１および固定片５２を含み、可動片５１は固定片５２の上方に設置され、トグル部４は可動片５１の上方に位置する。
【００３２】
さらに、前記可動片５１の一端は回転軸３の下方に延伸し、該端にトグル部４と接触接続される支持部材５３が設けられる。該支持部材５３はトグル部４の下向きの圧力を受け、圧力を受けて生じる変化に伴って、これとつながる可動片５１の動作を制御し、下に向けて固定片５２と接触接続させる。該支持部材の設計は、可動片に対してトグル部との接触面積を増加させ、トグル部のずれにより可動片と接触することができず、これにより蓋の開成に対する安全制御を実現することができなくなるのを防止する。
【００３３】
実施例２
図２および図４に示すように、本発明に記載するトグル部４はコネクタ４１およびトグル部材４２を含む。このうち、コネクタ４１は回転軸３と一体に回転接続され、トグル部材４２の一端はコネクタ４１とつながり、もう一端は可動片５１の動作を制御して固定片５２と接続／切断させる可動端４３である。
【００３４】
さらに、前記トグル部材４２に、可動端４３が支持部材５３前方および支持部材５３上方の間で滑らかに移動するように誘導する誘導面４４が設けられる。誘導面４４は傾斜面であり、トグル部材の可動端４３および上蓋１が位置する方向と相反する一側に設けられる。上蓋および安全スイッチはいずれも回転軸の前側に設置されるため、トグル部材および上蓋は同一方向に回転し、上蓋を開くとき、トグル部は前に回転し、可動端は斜め上に運動する。可動端の運動の過程で、支持部材が受ける圧力が小さくなり、可動片はそれ自体の変形の影響で上に戻り、最後に固定片と完全に切断され、支持片は最終的に可動端の運動の軌跡上に位置する。上蓋を閉じるとき、可動端は反対方向に運動し、まず支持部材の前端と接触し、傾斜誘導面の影響により、回転すると同時に、支持部材の上方まで摺動し、支持部材に下向きの圧力を提供する。これにより可動片に変形が生じて下向きに動き、固定片と接続される。
【００３５】
実施例３
図５および図６に示すように、本実施例に記載するコネクタ４１は回転軸３の外周に外嵌され、コネクタ４１は回転軸３とキー接続される。
【００３６】
さらに、前記コネクタ４１は回転軸３の一端に設けられ、回転軸３のもう一端は上蓋１およびパネル台２のヒンジ連結部に挿設される。コネクタ４１および回転軸３の接続部は円柱形であり、パネル台のヒンジ連結部に対応して挿入され、パネル台のヒンジ連結部との間は自由に回転する。
【００３７】
あるいは、前記トグル部４および回転軸３は一体構造である。さらにあるいは、トグル部４は、ピン、ボルト、ネジまたはその他の締付作用を示すことができる構造により回転軸３と固定接続される。
【００３８】
実施例４
図１および図５に示すように、本発明に記載するパネル台２後端にヒンジ受け２１が設けられ、上蓋１にヒンジ体１１が対応して設けられる。ヒンジ受け２１およびヒンジ体１１は回転軸３を介して接続され、回転軸３および上蓋のヒンジ体１１は一体に回転する。ヒンジ体１１は上蓋１後部の下表面に設けられ、上蓋１を閉じると、パネル台２後部の上表面をより多く覆う（図３を参照）。ヒンジ体１１およびヒンジ受け２１のいずれにも回転軸３を挿入させる軸孔１２、２２が設けられ、回転軸３および上蓋のヒンジ体１１は一体に回転するため、回転軸３は好ましくは多角形である。ヒンジ体の軸孔１２の形状は回転軸３の形状に符合し、ヒンジ受けの軸孔２２は回転軸３の回転に適合する円形である。
【００３９】
実施例５
図５から図７に示すように、本発明に記載する上蓋の開閉に対する安全制御構造は、トグル部４が回転軸３の軸方向で移動するのを阻止する遮断機構をさらに含む。該遮断機構は、トグル部４の両側に位置する第１遮断部材６および第２遮断部材７を含み、パネル台のヒンジ受け２１は第１遮断部材６を構成し、第２遮断部材７はパネル台２の下表面に固定して取り付けられる（図７を参照）。
【００４０】
さらに、前記トグル部４における第２遮断部材７に対応する一側に、回転軸３の軸方向に沿って定位円孔４５が設けられ、第２遮断部材７に定位円孔４５と符合する定位円柱７１が設けられる。定位円柱７１は定位円孔４５内に挿設され、自由に回転することができる。
【００４１】
実施例６
本発明の前記トグル部４の動作による安全スイッチ５の制御過程は、上蓋１を開く角度αに対応し、上蓋１を開く角度αは５°〜２０°である。すなわち、上蓋１が閉成状態からα角度開くとき、電源を切断する効果を開始する。好ましくは、トグル部４の動作による安全スイッチ５の制御の設定過程において、対応するαが６．５°のとき最も好ましい。
【００４２】
洗濯機の上蓋１を閉じるとき、トグル部材の可動端４３は可動片５１の支持部材を押さえ、このとき可動片５１は下に押えられて固定片５２と接続し、リーフスイッチ５の接点は閉じられ、洗濯機は通電して稼働することができる。洗濯機の上蓋１を開くとき、上蓋１は回転軸３、トグル部４を共に回転させ、トグル部材の可動端４３は支持部材５３上方で斜め上に移動し、可動片５１が離脱し始め、支持部材５３を下に押える圧縮量が次第に減少する。上蓋１をある角度α開くと、トグル部材４２は可動片５１から離脱し、可動片５１は元の位置に戻り、固定片５２と切断される。このとき洗濯機の電源が切断されて稼働が停止し、高速回転の内槽がユーザを損傷する可能性があるのを防止する。
【００４３】
実施例７
本発明に記載する上蓋１は少なくとも２組の回転軸３を介してパネル台２とヒンジ連結され、このうちの１つの回転軸３にトグル部４が取り付けられ（図６を参照）、もう１つの回転軸３に、上蓋を閉じる衝撃力を緩衝するダンピング機構が設けられる（図示せず）。あるいは、ダンピング機構およびトグル部は同一の回転軸に取り付けられる。
【００４４】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができる。しかし、本発明の技術案の内容を逸脱せず、本発明の技術的本質に基づき、以上の実施例に対して行う簡単な修正、均等変化および修飾は、いずれも本発明案の範囲内に属する。
【符号の説明】
【００４５】
１  上蓋
１１  ヒンジ体
１２  軸孔
２  パネル台
２１  ヒンジ受け
２２  軸孔
３  回転軸
４  トグル部
５  安全スイッチ、リーフスイッチ
４１  コネクタ
４２  トグル部材
４３  可動端
４４  誘導面
４５  定位円孔
５１  可動片
５２  固定片
５３  支持部材
６  第１遮断部材
７  第２遮断部材
７１  定位円柱
【図１】
2019511317.tif 000003
【図２】
2019511317.tif 000004
【図３】
2019511317.tif 000005
【図４】
2019511317.tif 000006
【図５】
2019511317.tif 000007
【図６】
2019511317.tif 000008
【図７】
2019511317.tif 000009
【国際調査報告】
2019511317.tif 000010
2019511317.tif 000011
2019511317.tif 000012
2019511317.tif 000013
2019511317.tif 000014
2019511317.tif 000015